(57)【要約】【課題】利便性の高いシステムの実現を可能とするとともに、使い勝手のよい使用者識別装置を提供する。【解決手段】紐１４と、接着された２枚のプラスチックフィルム１３によって封入されている非接触ＩＣカードである入館証３０と、プラスチックフィルム１３に部分的に接着され、カード装着部１１を形成する透明プラスチック１２と、カード装着部１１に装着されている磁気ストライプの施されたカードである社員証２０とを備える使用者識別装置１であって、入館証３０は、使用者権限識別情報を記憶し、社員証２０は、使用者個別情報を記憶することを特徴とする。【選択図】図１
2005078301.tif 000002
【特許請求の範囲】
【請求項１】
身体連結手段と、封入されている非接触ＩＣカードと、カードを着脱可能に保持するカード保持手段とを有するカードケースと、
前記カードケースのカード保持手段によって保持されているカードとを備える使用者識別装置であって、
前記非接触ＩＣカードは、使用者権限識別情報を記憶し、
前記カードは、使用者個別情報を記憶すること、
を特徴とする使用者識別装置。
【請求項２】
請求項１に記載の使用者識別装置において、
前記カードケースは、前記非接触ＩＣカードを封入して接着された２枚のプラスチックフィルムと、この２枚のプラスチックフィルムの一方又は双方の表面に重ねて部分的に接着された透明なプラスチックフィルムとを有し、
前記カード保持手段は、前記２枚のプラスチックフィルムと、前記透明なプラスチックフィルムとの間に形成され、接着されていない開口部からカードを着脱可能なように保持すること、
を特徴とする使用者識別装置。
【請求項３】
請求項１又は請求項２に記載の使用者識別装置において、
前記カードは、使用者個別情報を前記表面に表示し、
前記カード保持手段は、前記カードの表面に表示された使用者個別情報を目視可能なように保持すること、
を特徴とする使用者識別装置。
【発明の詳細な説明】
【技術分野】
【０００１】
本発明は、使用者を識別するための使用者識別装置に関するものである。
【背景技術】
【０００２】
従来から企業や団体の従業員、職員などの社員は、使用者の顔写真などが表面にプリントされ、磁気ストライプが施されている社員証を使用している。この磁気ストライプには、社員番号などの識別情報が記憶され、部屋への入場制限、社員食堂の精算などに利用されている。一方、企業などが入っているビルへの入場の制限においては、特にスムーズな入退場が求められているため、非接触ＩＣカードが入館証として利用されている。
従って、社員は、社員証及び入館証の２枚のカードを携帯する必要があった。これら２枚のカードをバラバラに携帯する場合には、紛失や、折れなどによる破損のおそれがあるとともに、使用時に財布などのカードケースから取り出す必要があり、負担がかかるという問題があった。
これらの実情に鑑み、社員証や通行証などをカードケースに入れたままゲートにかざすことによりゲートを通過でき、外からカードに印字された情報が判別できる強靱なカードケースという発明がある（特許文献１参照）。
一方、社員証や通行証だけでなく、携帯する複数のカード（使用者識別装置）の種類によっては、様々な利便性の高いシステムでの利用が可能となり、利便性が向上すると考えられる。
【特許文献１】特開２００１−１１８０３９（［０００４］、図１）
【発明の開示】
【発明が解決しようとする課題】
【０００３】
本発明の課題は、利便性を向上し、紛失及び破損を防止するとともに使い勝手のよい使用者識別装置を提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。すなわち、請求項１の発明は、身体連結手段（１４）と、封入されている非接触ＩＣカード（３０、３０−２）と、カードを着脱可能に保持するカード保持手段（１１、１１−３、１１−６）とを有するカードケース（１０〜１０−７）と、前記カードケースのカード保持手段によって保持されているカード（２０〜２０−３）とを備える使用者識別装置であって、前記非接触ＩＣカードは、使用者権限識別情報を記憶し、前記カードは、使用者個別情報を記憶すること、を特徴とする使用者識別装置（１〜１−７）である。
【０００５】
請求項２の発明は、請求項１に記載の使用者識別装置において、前記カードケースは、前記非接触ＩＣカードを封入して接着された２枚のプラスチックフィルム（１３）と、この２枚のプラスチックフィルムの一方又は双方の表面に重ねて部分的に接着された透明なプラスチックフィルム（１２、１２−４）とを有し、前記カード保持手段は、前記２枚のプラスチックフィルムと、前記透明なプラスチックフィルムとの間に形成され、接着されていない開口部からカードを着脱可能なように保持すること、を特徴とする使用者識別装置（１〜１−７）である。
【０００６】
請求項３の発明は、請求項１又は請求項２に記載の使用者識別装置であって、前記カードは、使用者個別情報を前記表面に表示し、前記カード保持手段は、前記カードの表面に表示された使用者個別情報を目視可能なように保持すること、を特徴とする使用者識別装置（１）である。
【発明の効果】
【０００７】
本発明による使用者識別装置によれば、２枚のカード（非接触ＩＣカード及びカード）をまとめて携帯することができるため、紛失を防止することが可能となった。また、身体連結手段を備えることによって、一層紛失を防止することが可能となった。特に、封入されている非接触ＩＣカードの紛失を防止することが可能である。
また、非接触ＩＣカードには、使用者権限識別情報が記憶されているため、例えば、社員の異動に合わせて再配布する、来客が使用するなど、異なる人が使用することができ、利便性を向上するとともに、使い回しにより、コストを低減することが可能となった。
更に、カード保持手段は、プリペイドカードなどの使用者個別情報を記憶するカードを着脱可能に保持するため、使用者は、非接触ＩＣカードと共に携帯し、使用するだけでなく、カード単独で使用することができ、利便性を向上することが可能となった。
【０００８】
つまり、権限の有無、権限のレベルなどを識別する使用者権限識別情報と、使用者の個別の情報である使用者個別情報とを別々のカードに記憶するため、入退場のシステム、電子マネーシステムなどの利便性の高いシステムにおいて利用可能であるとともに、使い勝手の向上を図ることが可能となった。
また、非接触ＩＣカード及びカードの２枚のカードを重ねて携帯するため、各カードの破損を防止し、かつ、プラスチックフィルムによって各カードの傷つきを防止することが可能となった。
更に、カード保持手段によって保持されているカードに表示されている使用者個別情報を目視可能であるため、名札代わりに使用するなど、利便性の向上を図ることが可能となった。
【発明を実施するための最良の形態】
【０００９】
利便性を向上し、紛失及び破損を防止するとともに使い勝手のよい使用者識別装置を提供するという目的を、使用者権限識別情報を記憶する非接触ＩＣカードが封入されているカードケースと、カードケースに装着され、使用者個別情報を記憶する磁気フィルムの施されているカードとによって実現する。
【実施例１】
【００１０】
図１及び図２は、本発明による使用者識別装置の実施例１を示す図であって、図１（ａ）は正面図、図１（ｂ）は、（ａ）のＰ−Ｐ’断面図、図２は、ブロック図である。
図１に示すように、使用者識別装置１は、カードケース１０と、カードケース１０のカード装着部１１に装着された社員証２０とを備えている。カードケース１０は、４辺の縁が接着された同一サイズの２枚のプラスチックフィルム１３に、プラスチックフィルム１３より長辺方向にサイズの短い透明なプラスチックフィルムである透明プラスチック１２が３辺の縁で接着されており、２枚のプラスチックフィルム１３の間には入館証３０が封入され、透明プラスチック１２とこれに接するプラスチックフィルム１３の間には、カード装着部１１が形成され、社員証２０が収納されている。また、カードケース１０の一方の長辺中央には、使用者の首に掛けるための紐１４が結び付けられている。
【００１１】
社員証２０は、磁気カードであって、その表面には社員コード、氏名、顔写真などの使用者の個別の情報である使用者個別情報などがプリントなどの方法で表示され、磁気ストライプ２１（図２参照）が施されている。社員証２０は、磁気ストライプ２１に社員番号などの社員識別情報を記憶している。この社員番号は、使用者個別情報であるとともに、個々の使用者を識別するための使用者識別情報である。
【００１２】
カードケース１０に封入されている入館証３０は、リーダライタを備えるビルのゲート端末５１（図３参照）などの外部装置と非接触式での通信が可能な非接触ＩＣカードであって、その使用者が入退館の権限を有する者であることをビルのゲート端末５１が識別するために、使用される。
【００１３】
図２に示すように、入館証３０は、通常２枚以上のプラスチックのフィルムまたは薄板の積層体で構成されており、積層体の間に薄くスライスされたＩＣチップ３２と、導電性印刷インキまたは、金属箔をパターンエッチングすることによって得られた渦巻き状のアンテナ３１が封入されていて、アンテナ３１とＩＣチップ３２はチップ上の接続端子で接続されている。アンテナ３１は、巻線コイル及び巻線コイルの両端に接続されている同調用のコンデンサなどを有し、電磁誘導方式に基づいて電磁波及びアナログ信号間の変換を行い、外部装置及びＩＣチップ３２間の非接触式での通信を媒介する。巻線コイルの巻き数は、カードケース１０と外部装置との設定距離によって任意に設定することが可能であり、社員証などのＩＤカードを対象とする場合には、交信距離は１０ｃｍ程度が適当で、カードの外周内側に沿って、３巻き〜６巻き程度がよい。
【００１４】
ＩＣチップ３２は、バスで互いに接続されているＩ／Ｏインターフェイス３３、ＣＰＵ３４、メモリ３５などを備えている。Ｉ／Ｏインターフェイス３３は、アンテナ３１に接続され、変調回路及び復調回路などを備えるインターフェイスである。ＣＰＵ３４は、入館証３０を統括制御する中央処理装置であって、アンテナ３１を介して外部装置から受信するコマンドに応じて、メモリ３５に記憶されているプログラムを実行し、その処理結果をレスポンスとして外部装置へ送信する。メモリ３５は、ＣＰＵ３４が処理を行うための作業領域として使用する揮発性メモリであるＲＡＭ、ＯＳなどのＣＰＵ３４が処理を行うために必要なプログラムなど、書き換える必要のない情報を記憶している不揮発性の読み出し専用メモリであるＲＯＭ、書換可能な不揮発性メモリであるＥＥＰＲＯＭなどから構成される。メモリ３５は、カード識別情報を記憶している。
【００１５】
カード識別情報とは、ビルのゲート端末５１がビル管理ＤＢに登録されている情報との照合を行うことによって、そのカードの使用者が入退館する正当な権限を有する者であることを識別するための情報である。例えば、入館証３０が通し番号などのカード識別情報を記憶し、ビル管理ＤＢには通し番号と入退館時刻などの入退館状態を示す入退館情報とを結びつけて記憶する。また、入館証３０が、使用者を認証するための共通鍵、秘密鍵などの認証情報を記憶し、ビルのゲート端末５１が認証を行い、入退館者の識別を行ってもよい。
【００１６】
次に、カードケース１０の製造方法及び材料について説明する。
カードケース１０は、２枚のプラスチックフィルム１３の間に入館証３０を封入することによってカードケースとしての物理的強度を持たせている。図１のような形状で仕上げるのであれば、２枚のプラスチックフィルム、および、透明なプラスチックフィルムを事前に、ある一定の大きさ例えば、［（短辺仕上り寸法＋α）×ｎ］×（長辺仕上り寸法＋α）のプラスチックフィルム２枚と、これと同じ長さでこれより５ｍｍから２０ｍｍ幅が狭い透明なプラスチックフィルムを用意して、プラスチックフィルム、入館証３０、プラスチックフィルム、透明なプラスチックフィルムの順に重ね、シールする。２枚のプラスチックフィルムは、材料が同一で色や可塑剤の量が異なってもよい。
【００１７】
シールの方法は超音波シール、高周波シールなど、瞬間的にプラスチック同士を溶融接着し、同時に四周を断ち切る方法が効率的でよい。この場合、仕上りサイズをあまり大き目に設定すると封入された入館証３０がプラスチックフィルム１３の間で遊んでしまうことになり、入館証３０の位置を精度良く設定する必要がある。
【００１８】
入館証３０は、多くは製造設備の関連でＩＳＯ（国際標準化機構）規格のカードサイズで仕上げられることが多く、カードの材質は硬質塩化ビニルやポリエステルなどのプラスチックが選定される。また、入館証３０は、カード基体の内部にアンテナ３１、およびＩＣチップ３２を内蔵しており、厚さ０．８３ｍｍ以下に設計されている。
【００１９】
ＩＳＯ規格ではプラスチックカードの厚さが０．６９ｍｍ〜０．８３ｍｍと決められているが、昨今薄手の非接触ＩＣカードが出現しており材質の強度が十分であれば前記ＩＳＯ規格の厚さの範囲に限定されず、カードケース１０として中に入れて持ち歩く社員証２０を保護するためには、０．２５ｍｍ程度でも十分に補強の役目を果たすことができる。
【００２０】
カードケース１０の中に収納される社員証２０などのＩＤカードの多くはその表面に顔写真などが昇華転写インクでカードの表面にむき出しでプリントされていることが多く、カードケース１０などに可塑剤が含まれている場合昇華転写された材料が可塑剤にアタックされる可能性がある。また、それ以外の部分で、例えば、エンボス文字の表面（図示せず）に着色されている場合など、着色材がやはり可塑剤の影響を受けやすく、長期間カードをカードケース１０の中に入れて使用していると透明フィルムに色が付いてきて外部から社員証２０表面にプリントされている顔写真などが見え難くなる。このようなことを考慮してカードケース１０の材質を選定する必要がある。
【００２１】
使用されるプラスチックフィルム１３の材料には、最も加工しやすいポリ塩化ビニルを始めとして、メチルメタアクリレート、ポリスチレン、ポリカーボネート、ポリエチレン、非晶質ポリエステルなどがあるが、前述のように可塑剤の影響が心配される場合には、非晶質ポリエステルなどを使用し、従ってこれと接着する透明プラスチック１２も同質のプラスチックを選定することが好ましい。ポリ塩化ビニルを選定した場合でも、可塑剤の量を少なくすることにより前述のような被害を回避することができる。また、例えば４０％前後の可塑剤を使用した軟質塩化ビニルを使用した場合でも、可塑剤の移行を防止する手段（例えば、特開平５−１６９８８６号公報。）を講ずれば、ある程度被害を避けることができる。入館証３０の基体は、ポリ塩化ビニル、ポリエステル、ＡＢＳ樹脂などを材料としている。
【００２２】
日本で多く使用されている磁気記録方式の電話カードは、材質がポリエステルでカード全体の厚さが、０．２８ｍｍ〜０．４０ｍｍ程度であり、前記ＩＳＯ規格のカードに較べ取扱いが便利であることから、この厚さで、ポリエステルベースの非接触ＩＣカードがある。厚さがＩＳＯ規格カードより薄い一方、材質がポリエステルであり、硬さ強度の両面でカードケースを十分補強できるため、本発明では前述のポリエステルベースの入館証３０も封入して使用できるよう厚さの範囲を０．２５ｍｍ以上とした。
【００２３】
図１において、透明プラスチック１２には、２５％の可塑剤含有のポリ塩化ビニルフィルムを使用し、プラスチックフィルム１３には、３０％可塑剤含有のポリ塩化ビニルを使用し、入館証３０の非接触ＩＣカードにはＩＳＯ規格のものを使用して高周波方式でシールしてカードケース１０とした。また、入館証３０は厚さ０．８３ｍｍで全体をポリ塩化ビニルの積層基板で構成し、総厚１．５５ｍｍ、外形寸法６５ｍｍ×９６ｍｍ（紐１４まわりの部分を含まず（図１参照）。）とした。できあがったカードケース１０の透明プラスチック１２とプラスチックフィルム１３の間にＩＳＯ規格に従った社員証２０を収納し、長辺、短辺方向に力を加えてもカードケース１０は湾曲しなかった。外部装置のリードテストにおいて使用者識別装置１の表裏いずれを翳しても、補強の役割も果たす入館証３０と正常に通信を行うことが可能であった。
【００２４】
図３は、本発明による使用者識別装置１を用いたシステムを示す説明図である。
使用者識別装置１の使用者である社員は、会社からカードケース１０の配布を受け、このカード装着部１１に自己の社員証２０を挿入し、紐１４を首に掛けて使用する。社員は、ビル５０から入退場する場合には、使用者識別装置１をビルのゲート端末５１に翳す。ビルのゲート端末５１は、入館証３０と通信を行い、カード識別情報を読み取り、このカード識別情報と、ビル管理ＤＢに登録されているカード識別情報との照合を行い、入退館者の識別、ビル管理ＤＢの入退館時刻の書き込みなどを行う。
【００２５】
また、社員は、ビル５０内の各部屋（Ａ，Ｂ，Ｃ）へ入室する場合には、社員証２０をカードケース１０から取り出し、磁気ストライプ２１を部屋の入口に備えられているゲート端末５２のカードリーダと接触させる。ゲート端末５２は、磁気ストライプ２１から社員番号を読み取り、この社員番号と、社員管理ＤＢに登録されている社員番号との照合を行い、入室者の識別、社員管理ＤＢの入室時刻の書き込みなどを行う。更に、社員は、食堂の食券販売機５３のカードリーダに磁気ストライプ２１を接触させることによって、食券を購入する。食券販売機５３は、購買者を識別し、社員管理ＤＢへの料金の書き込みを行う。異動などで勤務地が変更となる社員は、使用者識別装置１から社員証２０を取り出し、カードケース１０のみを会社へ返還する。また、カードケース１０は、来客にも貸し出される。
【００２６】
このように、実施例１によれば、使用者は、２枚のカード（社員証２０及び入館証３０）をまとめて携帯することができるため、紛失を防止することが可能となった。また、紐１４を備えるため、一層紛失を防止することが可能となった。特に、封入されている入館証３０の紛失を防止することが可能となった。
更に、使用者識別装置１は、使用者権限識別情報を記憶する入館証３０を備え、使用者個別情報を記憶する社員証２０を着脱可能に保持するため、使用者は、社員証２０と、入館証３０との組合せを代えて使用することができ、例えば、社員の異動に合わせて再配布する、来客が使用するなど、異なる人が使用することができ、利便性を向上するとともに、使い回しにより、コストを低減することが可能となった。更にまた、権限の有無、権限のレベルなどを識別する使用者権限識別情報と、使用者の個別の情報である使用者個別情報とを記憶するため、利便性の高いシステムを実現することが可能となった。
【００２７】
また、社員証２０及び入館証３０の２枚のカードを重ねて携帯するため、カードの折れなどの破損を防止し、プラスチックフィルム１２，１３によってカードの傷つきを防止することが可能となった。更に、カード装着部１１に装着されている社員証２０に表示されている顔写真などの使用者個別情報を目視可能であるため、名札代わりに使用するなど、利便性の向上を図ることが可能となった。更にまた、使用者は、使用者識別装置１を首にかけたまま、ゲート端末５１を通過し、社員証２０を取り出してゲート端末５２を通過するなど、使い勝手の向上を図ることが可能となった。
【実施例２】
【００２８】
図４は、本発明による使用者識別装置の実施例２を示す図であって、図４（ａ）は、正面図、図４（ｂ）は、使用者識別装置を用いたシステムを示す説明図である。
図４に示すように、実施例２において、使用者識別装置１−２は、テーマパーク５０−２で使用される。使用者は、テーマパーク５０−２のチケット売り場で料金を支払うことによって、入場券３０−２が封入されたカードケース１０−２を借り受け、日常生活でも使用している自己のプリペイドカード２０−２をカード装着部１１に装着する。入場券３０−２は、使用者権限識別情報を記憶し、プリペイドカード２０−２は、使用者毎に残高が異なる使用者個別情報である電子マネー情報を記憶している。なお、このプリペイドカード２０−２は、非接触式の通信を行うＩＣカードであっても、接触式の通信を行うカードであってもよい。
【００２９】
使用者権限識別情報は、テーマパーク５０−２への入場の権限の有無、アトラクションのレベル毎の利用権限の有無などのテーマパーク５０−２における使用者の権限の有無を、テーマパーク５０−２のゲート端末５１−２、アトラクション乗り場のゲート端末５２−２などの外部装置が識別するための情報であり、例えば、権限の有無、レベルを識別するための識別コードや、権限を証明するための暗号鍵などの認証情報などである。従って、テーマパーク側では、料金の違いに応じて記憶している使用者権限識別情報が異なる複数種類の入場券３０−２を使用者に貸し出し、使用者が対価に応じてアトラクションを利用する、対価に応じたプレゼントを受けるなど、対価に応じたサービスを受けることが可能となる。
また、使用者は、カード装着部１１からプリペイドカード２０−２を取り出し、又は、装着したまま、テーマパーク５０−２の中のレストラン、売店などでの買い物の精算を、リーダライタを備えるレジ端末５３−２にて行う。
一方、使用者識別装置１のカード装着部１１には、回数券情報を記憶する回数券カード２０−３を装着してもよい。回数券情報は、電子マネー情報と同様に使用者毎に残高が異なる使用者個別情報であって、制限回数内でアトラクションを利用することができる。例えば、使用者は、料金の低い入場券３０−２を借り受け、この回数券カード２０−３を別に購入することによって、入場券３０−２では利用できないレベルの高いアトラクションを制限回数内で利用することが可能となる。
【００３０】
このように実施例２によれば、実施例１と同様の効果に加え、使用者は、日常生活でも使用しているプリペイドカード２０−２をテーマパーク５０−２で使用することができ、利便性を向上することが可能となった。また、使用者は、入場券３０−２及び回数券２０−３の組合せによって種々のサービスを受けることができ、利便性を向上することが可能となった。
【００３１】
（変形例）
以上説明した実施例に限定されることなく、種々の変形や変更が可能であって、それらも本発明の均等の範囲内である。例えば、入館証３０、入場券３０−２は、電磁誘導方式での非接触通信を行うが、静電結合方式で接触式の通信を行ってもよく、非接触式での通信ができれば、その通信方法は限定されない。
【００３２】
入館証３０、入場券３０−２は、アンテナコイルを送受信兼用にしているが、電源用、データ受信用、データ送信用それぞれ別個にアンテナを設けてもよい。また、電池を内蔵していてもよく、目的に応じて選択すればよい。
【００３３】
カードケース１０は、紐１４を身体連結手段として備えているが、これに限られず、例えば、着衣に挟むためのクリップ、着衣に刺すためのピン、腕などの身体に巻くためのバンドなど、身体（着衣を含む。）にカードケース１０を連結するものであればよい。
【００３４】
使用者識別装置１，１−２は、企業、テーマパーク５０−２などで使用されているが、その使用形態は、限定されず、例えば、イベント会場、展示会場などの催事場、スキー場などにおいて使用されてもよい。また、催事場などで使用する場合には、カードケース１０，１０−２のカード装着部１１に名刺などの使用者個別情報を表面に表示するカードを装着してもよい。透明プラスチック１２を通して目視可能となり、名札代わりとなる。
【００３５】
図５（ａ）に示すように、使用者識別装置１−３は、社員証２０の差し込み口（開口部）が短辺方向に開いて設けられているカードケース１０−３を備えていてもよい。また、図５（ｂ）に示すように、使用者識別装置１−４は、透明プラスチックフィルム１２−４に切り込み、孔などの社員証２０などを取り出す補助となる取り出し補助部１２１が形成された透明プラスチック１２−４を備えていてもよい。透明プラスチック１２がプラスチックフィルム１３に部分的に接着され、カード装着部１１を形成し、接着されていない部分（差し込み口）から社員証２０などを着脱可能であれば、差し込み口の向き、位置、形状は限定されない。また、カード装着部１１に装着するカードは、１枚、１種類に限定されず、複数、複数種類のカードを装着してもよい。
【００３６】
図６（ａ）の断面図に示すように、使用者識別装置１−５は、入館証３０に硬いカード形状の板６０を重ねて封入したカードケース１０−５を備えていてもよい。一層社員証２０、入館証３０の破損を防止することが可能となる。
また、図６（ｂ）の断面図に示すように、使用者識別装置１−６は、プラスチックフィルム１３の両面に透明プラスチック１２が接着され、複数のカード装着部１１−６を備えているカードケース１０−６を備えていてもよい。
更に、図６（ｃ）の断面図に示すように、使用者識別装置１−７は、３枚以上のプラスチックフィルム１３を接着し、２枚以上の非接触ＩＣカード２０を封入しているカードケース１０−７を備えていてもよい。
【図面の簡単な説明】
【００３７】
【図１】使用者識別装置を示す正面図及び断面図である。（実施例１）
【図２】使用者識別装置を示すブロック図である。（実施例１）
【図３】使用者識別装置を用いたシステムを示す説明図である。（実施例１）
【図４】使用者識別装置を示す正面図、使用者識別装置を用いたシステムを示す説明図である。（実施例２）
【図５】使用者識別装置を示す正面図である。（変形例）
【図６】使用者識別装置を示す断面図である。（変形例）
【符号の説明】
【００３８】
１  使用者識別装置
１０  カードケース
１１  カード装着部
１２  プラスチックフィルム
１３  透明プラスチック
１４  紐
２０  社員証
２１  磁気ストライプ
３０  入館証
３１  アンテナ
３２  ＩＣチップ
【図１】
2005078301.tif 000003
【図２】
2005078301.tif 000004
【図３】
2005078301.tif 000005
【図４】
2005078301.tif 000006
【図５】
2005078301.tif 000007
【図６】
2005078301.tif 000008